(57)【要約】【課題】少ないメモリでスロット毎の平均受信品質の推定ばらつきを抑えて適切な通信の制御を可能とすること。【解決手段】復調部１０２は受信信号を復調する。第１測定部１０３は受信信号の受信品質を測定する。第２測定部１０４は、第１測定部１０３と異なる測定方法で受信信号の受信品質を測定する。重み付け部１０５は第２測定部１０４において測定した受信品質から重み付け計数を算出して、第１測定部１０３において同じタイミングで測定した受信品質に重み付けする。平均化部１０６は重み付けされた受信品質を所望するフレーム間隔で平均化する。判定部１０７は平均化された受信品質のレベルを判定して次のタイミングで通信相手から送信されるべき信号の伝送モードを変更するか否か判定する。送信部１０８は伝送モードの情報を、変調、無線周波数に変換して通信相手に無線信号で送信する。【選択図】　　　図１
2004147227.tif 000002
【特許請求の範囲】
【請求項１】
無線信号を受信して復調する受信手段と、復調された無線信号の受信品質を相異なる複数の品質測定方法で所定の時間単位で測定する測定手段と、平均化の対象とする品質測定方法で測定した第１受信品質情報を同じ測定時刻に第１受信品質情報と異なる品質測定方法で測定した第２受信品質情報で重み付けを行う重み付け手段と、重み付けした第１受信品質情報を平均化する平均化手段とを具備することを特徴とするデータ受信装置。
【請求項２】
平均化された第１受信品質情報に基づいて、次のタイミングで通信相手から送信されるべき信号の伝送モードを判定する判定手段と、判定結果を送信する送信手段とを具備することを特徴とする請求項１に記載のデータ受信装置。
【請求項３】
前記測定手段は、受信品質情報を固定小数点で表現するデジタルデータのあるビット精度に変換するデータ変換手段を具備し、前記判定手段は、前記変換手段における丸め処理で発生するオフセットを補償したしきい値で伝送モードの判定を行うことを特徴とする請求項２に記載のデータ受信装置。
【請求項４】
第１品質情報のレベルを判定し、判定結果に基づいて丸め処理で発生するオフセットを決定するレベル判定手段を具備し、前記判定手段は、前記レベル判定手段で決定したオフセットで補償したしきい値で伝送モードの判定を行うことを特徴とする請求項３に記載のデータ受信装置。
【請求項５】
平均化された第１受信品質情報を真数から対数に変換する真数対数変換手段を具備し、前記判定手段は、対数に変換された第１受信品質情報と対数表現のしきい値を比較して伝送モードを判定することを特徴とする請求項２に記載のデータ受信装置。
【請求項６】
第１測定手段は、対数表現で第１受信品質情報を出力し、前記重み付け手段は、対数表現の第１受信品質情報を同じ測定時刻に品質測定方法で測定した第２受信品質情報で重み付けを行い、前記平均化手段は、重み付けした対数表現の第１受信品質情報を平均化し、前記判定手段は、平均化された対数表現の第１受信品質情報と対数表現のしきい値を比較して伝送モードを判定することを特徴とする請求項２に記載のデータ受信装置。
【請求項７】
無線信号を受信して復調し、復調された無線信号の受信品質を相異なる複数の品質測定方法で所定の時間単位で測定し、平均化の対象とする品質測定方法で測定した第１受信品質情報を同じ測定時刻に第１受信品質情報と異なる品質測定方法で測定した第２受信品質情報で重み付けし、重み付けした第１受信品質情報を平均化し、平均化された第１受信品質情報に基づいて次のタイミングで通信相手から送信されるべき信号の伝送モードを判定し、判定結果を前記通信相手に送信することを特徴とするデータ受信方法。
【発明の詳細な説明】
【０００１】
【発明の属する技術分野】
本発明は、データ受信装置及びデータ受信方法に関し、特に伝搬路の状態に応じて伝送モードを変更する通信に用いて好適なデータ受信装置及びデータ受信方法に関する。
【０００２】
【従来の技術】
現在、伝搬路の状態に応じて伝送されるデジタルデータの符号化レベル等の伝送方法を適応的に変更する通信方法が考えられている（例えば、特許文献１）。
【０００３】
これらの通信方法では、受信した信号を、ＢＥＲ（Ｂｉｔ　　Ｅｒｒｏｒ　ｒａｔｅ）、ＳＮＲ（Ｓｉｇｎａｌ　ｔｏ　Ｎｏｉｓｅ　　Ｒａｔｉｏ）、または受信パワー等の受信品質情報を所定の時間単位で平均化し、平均化した受信品質情報から伝送方法の変更を判定している。
【０００４】
従来のデータ受信装置に関しては、受信品質の平均化は処理量の関係上、特にＣＰＵ上では、単純平均で行われている。従って、従来のデータ受信装置は、平均化された受信品質の閾値判定を行う際、データメモリ構成を必要パラメータ種類毎に必要としているワード数の掛け算の領域だけ必要としていた。
【０００５】
データ受信装置のメモリには、ＴＨＲとＨＹＳＴの２種類のデータを格納する必要がある。ここで、ＴＨＲは伝送モードの変更の判定に用いるしきい値であり、ＨＹＳＴは受信品質上昇時と下降時とのヒステリシスを示す。
【０００６】
図８、９及び１０を用いて具体例を示す。図８及び９は、ＧＳＭ規格０５．０９に規定されているデータテーブルを示す図である。図８は、パラメータＡとＴＨＲが対応づけられたテーブルＡである。データ受信装置は、ネットワークからパラメータＡを受け取り、ＴＨＲに変換する。図９は、パラメータＢとＨＹＳＴが対応づけられたテーブルＢである。データ受信装置は、ネットワークからパラメータＢを受け取り、ＨＹＳＴに変換する。
【０００７】
図８及び図９に示すように、ＴＨＲは６４通り、ＨＹＳＴは１６通りで表現される場合、ＴＨＲ＋ＨＹＳＴで表されるしきい値は、パラメータＡとパラメータＢの組み合わせで表されるので、６４×１６＝１０２４ワードを使用する。図１０は、パラメータとヒステリシスを考慮したしきい値との対応を示すデータテーブルの図である。図１０は、パラメータＡとパラメータＢとＴＨＲ＋ＨＹＳＴとを対応づけられたテーブルＣである。図１０に示すように、ＴＨＲと（ＴＨＲ＋ＨＹＳＴ）用のデータメモリとしてメモリＢに１０２４ワード必要である。
【０００８】
データ受信装置は、テーブルＣを用いて取得したパラメータＡとパラメータＢをＴＨＲと（ＴＨＲ＋ＨＹＳＴ）に変換する。そして、データ受信装置は、ＴＨＲと（ＴＨＲ＋ＨＹＳＴ）から、次のタイミングで通信相手から送信されるべき信号の伝送モードを変更するか否か判定する。
【０００９】
本具体例では、平均化された受信品質が（ＴＨＲ−４）ｄＢと（ＴＨＲ＋ＨＹＳＴ＋４）ｄＢの間にあるか、（ＴＨＲ−４）ｄＢ以下か、（ＴＨＲ＋ＨＹＳＴ＋４）ｄＢ以上かを判定する。
【００１０】
よって、ＴＨＲ＝２０（０ｘ１４）、ＨＹＳＴ＝１（０ｘ１）とした場合、メモリＡのＴＨＲ＝２０（０ｘ１４）をメモリＢにあるデータメモリアドレスとして用いて１０．０ｄＢという値を得る。同様に、メモリＡのＴＨＲ＝２０（０ｘ１４）とＨＹＳＴ＝１（０ｘ１）を用いて、アドレス０ｘ３４としてメモリＢから１．５ｄＢという値を得る。これらの値を用いて更に上記２つの閾値（ＴＨＲ−４）＝６ｄＢ、（ＴＨＲ＋ＨＹＳＴ＋４）＝１４．５ｄＢを計算して得る。
【００１１】
このように、従来のデータ受信装置でも、受信品質の平均化及びこれを使った制御値の算出を行うことができる。
【００１２】
【特許文献１】
特開２０００−９１９８３号公報
【００１３】
【発明が解決しようとする課題】
しかしながら、従来の装置においては、受信品質情報を単純平均するので、平均対象のデータのばらつきに大きく左右されるという問題がある。また、データメモリ領域を大きくとるという問題がある。
【００１４】
本発明はかかる点に鑑みてなされたものであり、少ないメモリでスロット毎の平均受信品質の推定ばらつきを抑えて適切な通信の制御を可能とするデータ受信装置及びデータ受信方法を提供することを目的とする。
【００１５】
【課題を解決するための手段】
本発明のデータ受信装置は、無線信号を受信して復調する受信手段と、復調された無線信号の受信品質を相異なる複数の品質測定方法で所定の時間単位で測定する測定手段と、平均化の対象とする品質測定方法で測定した第１受信品質情報を同じ測定時刻に第１受信品質情報と異なる品質測定方法で測定した第２受信品質情報で重み付けを行う重み付け手段と、重み付けした第１受信品質情報を平均化する平均化手段とを具備する構成を採る。
【００１６】
本発明のデータ受信装置は、平均化された第１受信品質情報に基づいて、次のタイミングで通信相手から送信されるべき信号の伝送モードを判定する判定手段と、判定結果を送信する送信手段とを具備する構成を採る。
【００１７】
これらの構成によれば、無線信号の受信品質を相異なる複数の品質測定方法で測定し、ある測定方法で測定した第１受信品質情報を同じ測定時刻に第１受信品質情報と異なる測定方法で測定した第２受信品質情報で重み付けした後、平均化し、平均化した第１受信品質情報に基づいて通信相手から送信される信号の伝送モードの変更を判定することにより、平均化対象の受信品質にばらつきがあっても抑えることができ、受信品質を用いた制御値の精度を向上することができる。
【００１８】
本発明のデータ受信装置は、前記測定手段は、受信品質情報を固定小数点で表現するデジタルデータのあるビット精度に変換するデータ変換手段を具備し、前記判定手段は、前記変換手段における丸め処理で発生するオフセットを補償したしきい値で伝送モードの判定を行う構成を採る。
【００１９】
本発明のデータ受信装置は、第１品質情報のレベルを判定し、判定結果に基づいて丸め処理で発生するオフセットを決定するレベル判定手段を具備し、前記判定手段は、前記レベル判定手段で決定したオフセットで補償したしきい値で伝送モードの判定を行う構成を採る。
【００２０】
これらの構成によれば、受信品質を対数で表現して伝送モードの変更／保持判定を行う場合に、受信品質のレベルに対応したデジタルデータ処理で丸められる量を決定してしきい値の補償を行うことにより、あるビット精度での固定小数点のデジタルフォーマットでデータ処理をする場合の丸め処理により受信品質のレベルがばらつくことを防ぎ、精度の高い伝送モードの制御を行うことができる。
【００２１】
本発明のデータ受信装置は、平均化された第１受信品質情報を真数から対数に変換する真数対数変換手段を具備し、前記判定手段は、対数に変換された第１受信品質情報と対数表現のしきい値を比較して伝送モードを判定する構成を採る。
【００２２】
本発明のデータ受信装置は、第１測定手段は、対数表現で第１受信品質情報を出力し、前記重み付け手段は、対数表現の第１受信品質情報を同じ測定時刻に品質測定方法で測定した第２受信品質情報で重み付けを行い、前記平均化手段は、重み付けした対数表現の第１受信品質情報を平均化し、前記判定手段は、平均化された対数表現の第１受信品質情報と対数表現のしきい値を比較して伝送モードを判定する構成を採る。
【００２３】
これらの構成によれば、判定の基本となるしきい値とヒステリシスを考慮したしきい値をと記憶し、これらのしきい値から伝送モード変更のしきい値を作成して判定することにより、少ないメモリで受信品質を用いた制御値の精度を向上することができる。
【００２４】
本発明のデータ受信方法は、無線信号を受信して復調し、復調された無線信号の受信品質を相異なる複数の品質測定方法で所定の時間単位で測定し、平均化の対象とする品質測定方法で測定した第１受信品質情報を同じ測定時刻に第１受信品質情報と異なる品質測定方法で測定した第２受信品質情報で重み付けし、重み付けした第１受信品質情報を平均化し、平均化された第１受信品質情報に基づいて、次のタイミングで通信相手から送信されるべき信号の伝送モードを判定し、判定結果を前記通信相手に送信するようにした。
【００２５】
この方法によれば、無線信号の受信品質を相異なる複数の品質測定方法で測定し、ある測定方法で測定した第１受信品質情報を同じ測定時刻に第１受信品質情報と異なる測定方法で測定した第２受信品質情報で重み付けした後、平均化し、平均化した第１受信品質情報に基づいて次のタイミングで通信相手から送信されるべき信号の伝送モードの変更を判定することにより、平均化対象の受信品質にばらつきがあっても抑えることができ、受信品質を用いた制御値の精度を向上することができる。
【００２６】
【発明の実施の形態】
本発明者は、一つの測定方法で測定した受信品質情報ではばらつきが激しく、正しく平均受信品質を導出できないことと、相異なる複数の測定方法で測定した受信品質情報は相関が低い場合があることに着目し、本発明をするに至った。
【００２７】
特に、受信品質が中程度の場合、受信品質の推定精度にはばらつきが発生しやすく、また各測定方法で測定した受信品質の相関が低くなりやすい。従って、中程度の受信品質の状態では、測定した受信品質にばらつきが発生して送信電力制御の精度が低くなるので、推定精度を上げる必要がある。
【００２８】
すなわち、本発明の骨子は、相異なる複数の測定方法で受信信号の品質を測定し、平均化する受信品質情報に他の測定方法で測定した受信品質情報で所定の測定時間毎に重み付けした後に平均化を行うことにより、精度の良い受信品質情報を測定し、この受信品質情報に基づいて通信の制御をすることである。
【００２９】
以下、本発明の実施の形態について図面を参照して詳細に説明する。
（実施の形態１）
図１は、本発明の実施の形態１に係るデータ受信装置の構成を示すブロック図である。図１のデータ受信装置１００は、受信部１０１と、復調部１０２と、第１測定部１０３と、第２測定部１０４と、重み付け部１０５と、平均化部１０６と、判定部１０７と、送信部１０８とから主に構成される。
【００３０】
図１において、受信部１０１は、通信相手からの無線信号を受信し、この無線信号を無線周波数からベースバンド周波数の受信信号に変換して復調部１０２に出力する。復調部１０２は、受信信号を復調して第１測定部１０３と第２測定部１０４に出力する。
【００３１】
第１測定部１０３は、受信信号の受信品質を測定して重み付け部１０５に出力する。第２測定部１０４は、第１測定部１０３と異なる測定方法で受信信号の受信品質を測定して重み付け部１０５に出力する。第１測定部１０３の測定方法と第２測定部１０４の測定方法は、受信品質が中程度（ＳＮＲで数ｄＢ〜１０数ｄＢ程度）において測定結果の相関が低い測定方法の組み合わせであることが望ましい。例えば、ＢＥＲ、ＳＮＲ、受信パワー等の測定を用い、第１測定部１０３がＢＥＲを測定する場合、第２測定部１０４はＳＮＲ、受信パワーのいずれか一方または両方を測定する。
【００３２】
重み付け部１０５は、第２測定部１０４において測定した受信品質から重み付け計数を算出して、第１測定部１０３において同じタイミングで測定した受信品質に重み付けする。そして、重み付け部１０５は重み付けした受信品質を平均化部１０６に出力する。平均化部１０６は、重み付けされた受信品質を所望するフレーム間隔で平均化して判定部１０７に出力する。
【００３３】
判定部１０７は、平均化された受信品質のレベルを判定して、次のタイミングで通信相手から送信されるべき信号の伝送モードを変更するか否か判定する。そして、判定部１０７は判定結果から決定した伝送モードを送信部１０８に出力する。送信部１０８は、伝送モードの情報を、変調、無線周波数に変換して通信相手に無線信号で送信する。
【００３４】
次に、本実施の形態に係るデータ受信装置の伝送モードの判定動作について説明する。図２は、伝送モード判定の一例を示す図である。図２において縦軸は受信品質を示す。ここで、伝送モード３は伝送モード２より伝送量の多い伝送モードであり、伝送モード２は伝送モード１より伝送量の多い伝送モードである。
【００３５】
図２において、伝送モード２で通信を行っている時に受信品質がしきい値ＴＨＲ１を下回った場合、データ受信装置１００は、通信相手に伝送モード１での通信を要求する。また、伝送モード１で通信を行っている時に受信品質がしきい値ＴＨＲ１＋ＨＹＳＴ１を上回った場合、データ受信装置１００は通信相手に伝送モード２での通信を要求する。
【００３６】
同様に、伝送モード３で通信を行っている時に受信品質がしきい値ＴＨＲ２を下回った場合、データ受信装置１００は、通信相手に伝送モード２での通信を要求する。また、伝送モード２で通信を行っている時に受信品質がしきい値ＴＨＲ２＋ＨＹＳＴ２を上回った場合、データ受信装置１００は通信相手に伝送モード３での通信を要求する。
【００３７】
このように、データ受信装置１００は、二つのしきい値を用いて伝送量を下げる時と伝送量を上げる時の判定を行う。このような判定の一例として、ＧＳＭ規格０５．０９に規定されているものがある。
【００３８】
図３は、本実施の形態のデータ送信装置の構成を示すブロック図である。図３のデータ送信装置３００は、受信部３０１と、伝送モード制御部３０２と、送信部３０３とから主に構成される。
【００３９】
受信部３０１は、データ受信装置１００から送信された無線信号を受信し、この無線信号を無線周波数からベースバンド周波数に変換、復調し、伝送モードの情報を取り出して伝送モード制御部３０２に出力する。
【００４０】
伝送モード制御部３０２は、受信部３０１から出力された伝送モードの情報に従って送信部３０３の伝送モードを制御する。送信部３０３は、伝送モード制御部３０２の指示する伝送モードでデータを無線信号で送信する。伝送モードは、符号化方式、変調方式等がある。
【００４１】
このように、本実施の形態のデータ受信装置によれば、無線信号の受信品質を相異なる複数の品質測定方法で測定し、ある測定方法で測定した第１受信品質情報を同じ測定時刻に第１受信品質情報と異なる測定方法で測定した第２受信品質情報で重み付けした後、平均化し、平均化した第１受信品質情報に基づいて通信相手から送信される信号の伝送モードの変更を判定することにより、平均化対象の受信品質にばらつきがあっても抑えることができ、受信品質を用いた制御値の精度を向上することができる。
【００４２】
（実施の形態２）
実施の形態２では、実施の形態１のデータ受信装置が受信品質をデジタルデータで処理する場合の問題を解決する例について説明する。
【００４３】
例えば、平均化したい受信品質がＳＮＲを使用する場合を示す。測定すべき範囲が０〜４５ｄＢとすると、リニアスケール（真数）では、０〜３１６２３となり、使用するビット幅を１６ビットと仮定すると４５ｄＢまで一律に表し得ようとすると図４に示すフォーマットを取らなくてはならない。図４は、デジタルデータのフォーマットの一例を示す図である。
【００４４】
小数点以下を１ビットで表現する場合、小数点以下は０と０．５の２通りしか表すことができないので０．５未満の数値は丸められて誤差となる。ここで受信品質が２０ｄＢの時の誤差と４０ｄＢの時の誤差では、受信品質に与える影響の度合いが異なる。例えば、受信品質が４０ｄＢの場合、受信品質１００００に対して誤差０．５は２００００分の１の割合である。一方、受信品質が２０ｄＢの場合、受信品質１００に対して誤差０．５は２００分の１の割合である。
【００４５】
このように、小数点を固定したデジタルフォーマットの値を真数に変換する場合、丸め処理による誤差の影響が値の大きさにより異なる。
【００４６】
このようなフォーマットでは、ＳＮＲの値（０ｄＢか、２０ｄＢか、４５ｄＢか等）で制御部での閾値操作を変えた方が良いことがシミュレーション評価上からも分かっており、よって、シミュレーション上で各ＳＮＲ（例えば０〜２０ｄＢ、２０ｄＢ〜３０ｄＢ、３０ｄＢ〜４５ｄＢなど）で最適な閾値操作値を決定し、これを予め持たせておき、レベル判定での結果に応じて制御の処理を操作する。
【００４７】
図５は、本発明の実施の形態２に係るデータ受信装置の構成を示すブロック図である。但し、図１と同一の構成となるものについては、図１と同一番号を付し、詳しい説明を省略する。
【００４８】
図５のデータ受信装置５００は、レベル判定部５０１と判定部５０２を具備し、受信品質のレベルに対応したデジタルデータ処理で丸められる量を決定してしきい値の補償を行う点が図１のデータ受信装置と異なる。
【００４９】
第１測定部１０３は、受信信号の受信品質を測定して重み付け部１０５とレベル判定部５０１に出力する。
【００５０】
レベル判定部５０１は、受信品質のレベルに対応したデジタルデータ処理で丸められる量を決定し、この丸められる量または受信品質のレベルからしきい値の補償量を決定して判定部５０２に出力する。
【００５１】
平均化部１０６は、重み付けされた受信品質を所望するフレーム間隔で平均化して判定部５０２に出力する。
【００５２】
判定部５０２は、平均化された受信品質を真数表現から対数表現に変換する。そして、判定部５０２は、対数表現の受信品質と対数表現のしきい値とを比較し、この受信品質のレベルがしきい値以上か未満か判定して伝送モードを変更するか否か決定する。このしきい値は、レベル判定部５０１から出力された補償量を反映させたしきい値である。
【００５３】
そして、判定部５０２は判定結果から決定した伝送モードを送信部１０８に出力する。送信部１０８は、伝送モードの情報を、変調、無線周波数に変換して通信相手に無線信号で送信する。
【００５４】
図６は、本実施の形態のレベル判定部が備えるテーブルの一例を示す図である。図６のテーブルは、受信品質のレベルとしきい値の補償量とを関連づけたテーブルである。
【００５５】
図６において、０ｄＢ以上、２０ｄＢ未満の場合、しきい値の補償量は、０ｄＢとなる。また、２０ｄＢ以上、３０ｄＢ未満の場合、しきい値の補償量は、１０ｄＢとなる。３０ｄＢ以上、４５ｄＢ未満の場合、しきい値の補償量は、２０ｄＢとなる。レベル判定部５０１は、図６のテーブルを備え、受信品質のレベルからしきい値の補償量を決定する。
【００５６】
このように、本実施の形態のデータ受信装置によれば、受信品質を対数で表現して伝送モードの変更判定を行う場合に、受信品質のレベルに対応したデジタルデータ処理で丸められる量を決定してしきい値の補償を行うことにより、固定小数点のデジタルフォーマットでデータ処理をする場合の丸め処理により受信品質のレベルがばらつくことを防ぎ、精度の高い伝送モードの制御を行うことができる。
【００５７】
（実施の形態３）
実施の形態３では、伝送モードを変更するか否かの判定の具体例について説明する。図７は、本実施の形態のデータ受信装置の判定部１０７の内部構成を示すブロック図である。図７において、判定部１０７は、メモリ７０１と、しきい値生成部７０２と、リニア／ｄＢ変換部７０３と、しきい値判定部７０４と、マッピング部７０５とから主に構成される。
【００５８】
メモリ７０１は、受信部１０１等のネットワークから送られてきたパラメータとしきい値との対応を記憶する。例えば、メモリ７０１は、図８と図９のテーブルを記憶する。しきい値生成部７０２は、メモリ７０１から取り出し、現在通信相手から送信される信号の伝送モードを変更する可否かを判定するしきい値を作成してしきい値判定部７０４に出力する。このしきい値は対数表現である。
【００５９】
リニア／ｄＢ変換部７０３は、受信品質情報を真数表現から対数表現に変換してしきい値判定部７０４に出力する。
【００６０】
しきい値判定部７０４は、対数表現の受信品質情報がしきい値以上か未満かで伝送モードを変更するか否か判定し、判定結果をマッピング部７０５に出力する。マッピング部７０５は、判定結果から伝送モードに対応する制御値に変換して送信部１０８に出力する。
【００６１】
次に、本実施の形態のしきい値生成について説明する。具体例を従来例で示したものと同様の数値を用いて示す。まず、従来例と同様にメモリＡには、ＴＨＲとＨＹＳＴを格納する２種類のデータを要する。
【００６２】
ＴＨＲ＝２０（０ｘ１４）、ＨＹＳＴ＝１（０ｘ１）とした場合、（ＴＨＲ−４）として２０（０ｘ１４）−４×２＝１２（０ｘＣ）と（ＴＨＲ＋ＨＹＳＴ＋４）として２１（０ｘ１５）＋４×２＝２９（０ｘ１ｄ）をしきい値生成部７０２で生成する。
【００６３】
この生成により、図４に示すようなフォーマット（数体系）を想定することで、そのまま、対数表現のデータ値（ｄＢスケール）になる。この値を閾値としてそのまましきい値判定部７０４に送る。一方で、平均化された受信品質データがリニアスケールからｄＢスケールに変換、図４と同じ数体系で出力される。
【００６４】
したがって、そのまま、平均化された受信品質と閾値との比較が行え、その比較結果からマッピング部７０５にて制御値を決定する。この結果、図１０に示すテーブルが不要となる。
【００６５】
ここで、閾値に使用する４ｄＢをそのまま４ｄＢとして使用したが、アルゴリズムの精度等で別の値を取ってもかまわない。
【００６６】
このように、本実施の形態のデータ受信装置によれば、判定の基本となるしきい値とヒステリシスを考慮したしきい値をと記憶し、これらのしきい値から伝送モード変更のしきい値を作成して判定することにより、少ないメモリで受信品質を用いた制御値の精度を向上することができる。
【００６７】
なお、実施の形態１の第１測定部１０３、第２測定部１０４、重み付け部１０５、及び平均化部１０６において、対数で処理される場合、リニア／ｄＢ変換部７０３は不要となり、平均化部１０６から出力された対数表現の受信品質が直接しきい値判定部７０４に出力される構成となる。
【００６８】
ｄＢスケールのまま、平均化することは本来のリニアスケールで行う平均化よりもオフセットを持つことになるが、このオフセットを見込んだ値を上記４ｄＢに加え考え合わせることで同様の処理が可能になる。
【００６９】
なお、上記説明の伝送モードは、符号化方式、変調方式等伝送レートを変更する方式であればいずれも適用できる。
【００７０】
また、重み付けに用いる受信品質は、一種類に限定されず、複数の測定方法で測定された受信品質をそれぞれ用いて重み付けを行っても良い。
【００７１】
また、本発明は上記実施の形態に限定されず、種々変更して実施することが可能である。例えば、上記実施の形態では、データ受信装置として行う場合について説明しているが、これに限られるものではなく、このデータ受信方法をソフトウェアとして行うことも可能である。
【００７２】
例えば、上記データ受信方法を実行するプログラムを予めＲＯＭ（Ｒｅａｄ　Ｏｎｌｙ　Ｍｅｍｏｒｙ）に格納しておき、そのプログラムをＣＰＵ（Ｃｅｎｔｒａｌ　Ｐｒｏｃｅｓｓｏｒ　Ｕｎｉｔ）によって動作させるようにしても良い。
【００７３】
また、上記データ受信方法を実行するプログラムをコンピュータで読み取り可能な記憶媒体に格納し、記憶媒体に格納されたプログラムをコンピュータのＲＡＭ（Ｒａｎｄｏｍ　Ａｃｃｅｓｓ　Ｍｅｍｏｒｙ）に記録して、コンピュータをそのプログラムにしたがって動作させるようにしても良い。
【００７４】
【発明の効果】
以上説明したように、本発明のデータ受信装置及びデータ受信方法によれば、相異なる複数の測定方法で受信信号の品質を測定し、平均化する受信品質情報に他の測定方法で測定した受信品質情報で所定の測定時間毎に重み付けした後に平均化を行うことにより、精度の良い受信品質情報を測定し、この受信品質情報に基づいて通信の制御をすることができる。
【図面の簡単な説明】
【図１】本発明の実施の形態１に係るデータ受信装置の構成を示すブロック図
【図２】伝送モード判定の一例を示す図
【図３】上記実施の形態のデータ送信装置の構成を示すブロック図
【図４】デジタルデータのフォーマットの一例を示す図
【図５】本発明の実施の形態２に係るデータ受信装置の構成を示すブロック図
【図６】上記実施の形態のレベル判定部が備えるテーブルの一例を示す図
【図７】本実施の形態のデータ受信装置の判定部の内部構成を示すブロック図
【図８】ＧＳＭ規格０５．０９に規定されているデータテーブルを示す図
【図９】ＧＳＭ規格０５．０９に規定されているデータテーブルを示す図
【図１０】パラメータとヒステリシスを考慮したしきい値との対応を示すデータテーブルを示す図
【符号の説明】
１０１　受信部
１０２　復調部
１０３　第１測定部
１０４　第２測定部
１０５　重み付け部
１０６　平均化部
１０７　判定部
１０８　送信部
３０１　受信部
３０２　伝送モード制御部
３０３　送信部
５０１　レベル判定部
５０２　判定部
７０１　メモリ
７０２　しきい値生成部
７０３　リニア／ｄＢ変換部
７０４　しきい値判定部
７０５　マッピング部
【図１】
2004147227.tif 000003
【図２】
2004147227.tif 000004
【図３】
2004147227.tif 000005
【図４】
2004147227.tif 000006
【図５】
2004147227.tif 000007
【図６】
2004147227.tif 000008
【図７】
2004147227.tif 000009
【図８】
2004147227.tif 000010
【図９】
2004147227.tif 000011
【図１０】
2004147227.tif 000012